【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
ｎ原色画像を表示するカラー表示装置であって、ｎは４よりも大きく、前記ｎ原色の各々を表す１つの副画素を含む少なくとも１つの反復単位を有するように構成された副画素のアレイを備えており、前記反復単位は、前記ｎ原色画像の少なくとも１つの属性を最適化するように構成されている、カラー表示装置。
【請求項２】
請求項１記載の装置であって、前記カラー画像に対応する入力を受け、前記副画素の内少なくとも一部を選択的に活性化させて、前記カラー画像のグレー・レベル表現に対応する１つ以上の減衰パターンを生成可能なコントローラを備えている、装置。
【請求項３】
ｎ原色画像を表示するカラー表示装置であって、ｎは３よりも大きく、該装置は、
前記ｎ原色の各々を表す１つの副画素を含む少なくとも１つの反復単位を有するように構成された副画素アレイであって、前記反復単位が、前記ｎ原色画像の少なくとも１つの属性を最適化するように構成されている、副画素アレイと、
前記カラー画像に対応する入力を受け、前記副画素の内少なくとも一部を選択的に活性化させて、前記カラー画像のグレー・レベル表現に対応する１つ以上の減衰パターンを生成可能なコントローラと、
を備えている、装置。
【請求項４】
請求項１から３のいずれかに記載の装置において、前記副画素は、前記ｎ原色の色相順に応じて配列されている、装置。
【請求項５】
請求項１から３のいずれかに記載の装置において、前記副画素は部分集合毎に配列されており、各部分集合は隣接する副画素を含み、前記部分集合の各１つは比較的中性のホワイト・バランスを有する、装置。
【請求項６】
請求項５記載の装置において、前記部分集合の１つ以上が、３つの隣接色副画素を含む、装置。
【請求項７】
請求項６記載の装置において、前記３つの隣接する色副画素が１つの行または列に位置する、装置。
【請求項８】
請求項５記載の装置において、前記部分集合の１つ以上は、赤、緑、青、黄色、およびシアンの順に配列された５原色の副画素を含む、装置。
【請求項９】
請求項５記載の装置において、前記部分集合の１つ以上は、２つの隣接する色副画素を含む、装置。
【請求項１０】
請求項９記載の装置において、前記２つの隣接する色副画素は、１つの行または列に位置する、装置。
【請求項１１】
請求項２から１０のいずれかに記載の装置において、前記コントローラは、調節した被覆値に応じて、前記副画素の少なくとも１つを活性化することができる、装置。
【請求項１２】
請求項１１記載の装置において、前記コントローラは、前記活性化した副画素を含むｎ個未満の異なる原色副画素のグループの初期被覆値にスムージング関数を適用することによって、前記調節被覆値を決定する、装置。
【請求項１３】
請求項１２記載の装置において、前記副画素のグループは、前記活性化した副画素に隣接する２つの副画素を含む、装置。
【請求項１４】
請求項１３記載の装置において、前記活性化した副画素に隣接する２つの副画素は、１つの行または列に位置する、装置。
【請求項１５】
請求項１１記載の装置において、前記コントローラは、第１および第２スムージング関数を第１および第２の副画素グループの初期被覆値にそれぞれ適用することによって、前記調節被覆値を決定することができ、前記第１および第２の副画素グループの各々は、前記活性化した副画素を含有し、ｎ個未満の異なる原色副画素を含む、装置。
【請求項１６】
請求項１５記載の装置において、前記第１グループは、前記活性化した副画素を含む単一の行または列内にある２つの副画素を含む、装置。
【請求項１７】
請求項１５または１６記載の装置において、前記第２グループは、前記活性化した副画素と同じ列または行上にある少なくとも１つの隣接副画素を含む、装置。
【請求項１８】
請求項１から３のいずれかに記載の装置において、前記反復単位の副画素を一次元アレイに配列してある、装置。
【請求項１９】
請求項１から３のいずれかに記載の装置において、前記反復単位の副画素を、複数の行および列から成る二次元アレイに配列してある、装置。
【請求項２０】
請求項１９記載の装置であって、第１および第２行に配列した６原色副画素を備えており、前記第１行は、赤、緑、青、シアン、マジェンタ、および黄色の順とした色副画素を含み、前記第２行は、シアン、マジェンタ、黄色、赤、緑、および青の順とした色副画素を含む、装置。
【請求項２１】
請求項１から２０のいずれかに記載の装置において、前記ｎ原色は、赤、緑、青、および黄色を含む、装置。
【請求項２２】
請求項１から２１のいずれかに記載の装置において、前記ｎ原色は、少なくとも５つの異なる原色を含む、装置。
【請求項２３】
請求項２２記載の装置において、前記少なくとも５つの異なる原色は、赤、緑、青、黄色、およびシアンを含む、装置。
【請求項２４】
請求項２３記載の装置において、前記少なくとも５つの異なる原色は、少なくとも６つの異なる原色を含む、装置。
【請求項２５】
請求項２４記載の装置において、前記少なくとも６つの異なる原色は、赤、緑、青、黄色、シアン、およびマジェンタを含む、装置。
【請求項２６】
請求項１から２５のいずれかに記載の装置において、前記反復単位は、前記表示画像の少なくとも１つの特性を最適化する、前記副画素の配列を含む、装置。
【請求項２７】
請求項２６記載の装置において、前記副画素の配列は、可能な副画素配列のグループの輝度値に適用する変換関数の高調波を最少にすることに基づいて選択する、装置。
【請求項２８】
請求項２７記載の装置において、前記変換関数はフーリエ変換を含み、前記高調波は、前記フーリエ変換の第１高調波である、装置。
【請求項２９】
請求項１から２８のいずれかに記載の装置において、前記少なくとも１つの属性は、前記反復単位のグレー・レベル範囲である、装置。
【請求項３０】
請求項１から２９のいずれかに記載の装置において、前記少なくとも１つの属性は、彩度である、装置。
【請求項３１】
請求項１から３０のいずれかに記載の装置において、前記少なくとも１つの属性は、輝度均一性である、装置。
【請求項３２】
請求項１から３１のいずれかに記載の装置において、前記少なくとも１つの属性は、画像の解像度である、装置。
【請求項３３】
請求項１から３２のいずれかに記載の装置において、前記少なくとも１つの属性は、色縁効果に関連する特性である、装置。
【請求項３４】
請求項１から３３のいずれかに記載の装置であって、ｎ原色液晶（ＬＣＤ）表示装置を含み、前記副画素アレイは、副画素フィルタ・アレイを備えており、各副画素フィルタは、前記ｎ原色の１つの光を透過させる、装置。
【請求項３５】
少なくとも１つの種類の複数の反復単位に構成した副画素のアレイを備えているカラー表示装置上にカラー画像を表示する方法であって、各反復単位は、ｎ個の異なる原色の各々の副画素を含み、ｎは３よりも大きく、該方法は、前記反復単位の少なくとも１つによって色の組み合わせを生成し、これを、前記色の組み合わせを生成する反復単位において実質的に白色光を生成可能な副画素の部分集合を活性化しないで行う、方法。
【請求項３６】
ｎ個の異なる原色の各々の複数の副画素を含む副画素のアレイを備えているカラー表示装置上にカラー画像を表示する方法であって、ｎは３よりも大きく、該方法は、
調節被覆値に応じて、前記副画素の少なくとも１つを活性化するステップを備えた、方法。
【請求項３７】
請求項３６記載の方法であって、前記活性化した副画素を含有するｎ個未満の異なる原色副画素のグループの初期被覆値にスムージング関数を適用することによって、前記調節被覆値を決定するステップを含む、方法。
【請求項３８】
請求項３７記載の方法であって、第１および第２の副画素グループの初期被覆値に第１および第２スムージング関数をそれぞれ適用することによって前記調節被覆値を決定するステップを含み、前記第１および第２グループの各々は、前記活性化した副画素を含有し、ｎ個未満の異なる原色副画素を含む、方法。
【請求項３９】
請求項３７または３８記載の方法であって、１つ以上の前記初期被覆値を決定するステップを含む、方法。